(57)【要約】      （修正有）【課題】構造の複雑化を伴うことなしに換気機器の吹き出し口のカバー等に確実に取り付けることができる揮散用容器。【解決手段】周壁１ａとその下端に一体連結する底壁からなり、内側に形成された区画凹所Ｍに揮発性の内容物を直接または中皿を介して間接的に収納するとともに、上部開放端を通して内容物を揮散させる容器本体１と、容器本体を上部開放端を残して抜け出し不能かつ回動可能に取り囲むカバー２とを備え、容器本体の底壁の下面に、先端開放部３ａを通して固定部位に着脱可能に連係して容器本体を固定部位に保持する連係部３を設け、カバーに、容器本体の周りに沿うカバーの回動にてその突端面４ａを固定部位に当接させて連係部の、固定部位からの離脱を防止する係止部４を設け、容器本体とカバーとの相互間に、カバーの回動を阻止して係止部の、固定部位に対する当接姿勢を維持するロック機構５を設ける。【選択図】図１
2014009001.tif 000002
【特許請求の範囲】
【請求項１】
周壁と、この周壁の下端に一体連結する底壁からなり、その内側に形成された区画凹所に揮発性の内容物を直接または中皿を介して間接的に収納するとともに、上部開放端を通して該内容物を揮散させる容器本体と、この容器本体を該上部開放端を残して抜け出し不能、かつ、回動可能に取り囲むカバーとを備え、
前記容器本体の底壁の下面に、先端開放部を通して固定部位に着脱可能に連係して該容器本体を該固定部位に保持する連係部を設け、
前記カバーに、前記容器本体の周りに沿う該カバーの回動にてその突端面を前記固定部位に当接させて前記連係部の、該固定部位からの離脱を防止する係止部を設け、
前記容器本体と前記カバーとの相互間に、該カバーの回動を阻止して前記係止部の、該固定部位に対する当接姿勢を維持するロック機構を設けたことを特徴とする揮散用容器。
【請求項２】
前記係止部は、前記固定部位に当接可能な複数の突端面と、該突端面との当接によって該固定部位を引掛けて抱え込む爪部を有することを特徴とする請求項１に記載した揮散用容器。
【請求項３】
前記ロック機構は、前記容器本体および前記カバーのいずれか一方に設けられた溝部と、該カバーおよび該容器本体のいずれかもう一方に設けられ、該溝部に凸部を乗り越えて抜け出し可能に嵌合するリブからなることを特徴とする請求項１または２に記載した揮散用容器。
【請求項４】
前記溝部は、間隔をおいて配置され、その相互間を前記カバーの回動領域とする少なくとも２つからなり、該溝部の各溝壁に、該回動領域からの、該リブの抜け出しを防止するストッパーを設けたことを特徴とする請求項１〜３のいずれか１に記載した揮散用容器。
【請求項５】
前記連係部が、弾性変形によって先端開放部を通して前記固定部位に着脱可能に嵌合するクリップであることを特徴とする請求項１〜４のいずれか１に記載した揮散用容器。
【発明の詳細な説明】
【技術分野】
【０００１】
本発明は、扇風機や空気清浄器、エアコンの如き換気機器のカバー等に嵌め込み、該換気機器によって巻き起こされた空気の流れを利用して揮発性の内容物を室内の全域に拡散させることができる揮散用容器に関するものである。
【背景技術】
【０００２】
芳香剤や消臭剤等の内容物を揮散させる揮散用容器は、容器内に配置した含侵体に内容物を染み込ませ、容器の口部から露出させた含侵体の頭部を通して揮散させるか、容器内に配置した吸上げ芯を介して内容物を吸い上げ、その上端部に配置した揮散体を通して内容物を揮散させるのが普通である。ところで、この種の揮散用容器は、揮散された内容物を室内の広い範囲にわたって拡散させるのは困難である。
【０００３】
内容物を自動車の室内や家屋の室内に係らずその全域に拡散させる揮散用容器としては、該揮散用容器そのものを、換気機器の吹き出し口に取付け具を介して取り付け、該換気機器の吹き出し口から噴出される空気を該揮散容器の中を通して内容物を拡散させるようにした特許文献１に開示されたものが知られている。
【先行技術文献】
【特許文献】
【０００４】
【特許文献１】登録実用新案第３０９０２９７号公報
【０００５】
ところで、上記のような従来の揮散用容器は、容器本体を固定する取り付け具が、ばねによって付勢された上顎部、下顎部とを備えた挟み込みタイプのクリップにて構成されていることから、容器の固定が不安定で、物がぶつかったり、子供の悪戯等、所期しない外力が容器に作用した場合に簡単に外れてしまうおそれがあった。
【発明の開示】
【発明が解決しようとする課題】
【０００６】
本発明の課題は、構造の複雑化を伴うことなしに換気機器の吹き出し口に確実に固定することができる揮散用容器を提案するところにある。
【課題を解決するための手段】
【０００７】
本発明は、周壁と、この周壁の下端に一体連結する底壁からなり、その内側に形成された区画凹所に揮発性の内容物を直接または中皿を介して間接的に収納するとともに、上部開放端を通して該内容物を揮散させる容器本体と、この容器本体を該上部開放端を残して抜け出し不能、かつ、回動可能に取り囲むカバーとを備え、前記容器本体の底壁の下面に、先端開放部を通して固定部位に着脱可能に連係して該容器本体を該固定部位に保持する連係部を設け、前記カバーに、前記容器本体の周りに沿う該カバーの回動にてその突端面を前記固定部位に当接させて前記連係部の、該固定部位からの離脱を防止する係止部を設け、前記容器本体と前記カバーとの相互間に、該カバーの回動を阻止して前記係止部の、該固定部位に対する当接姿勢を維持するロック機構を設けたことを特徴とする揮散用容器である。
【０００８】
上記の構成からなる揮散用容器においては、
１）係止部が、固定部位に当接可能な複数の突端面と、該突端面との当接によって該固定部位を引掛けて抱え込む爪部を有するものとすること、
２）ロック機構が、容器本体および前記カバーのいずれか一方に設けられた溝部と、該カバーおよび該容器本体のいずれかもう一方に設けられ、該溝部に凸部を乗り越えて抜け出し可能に嵌合するリブからなるもので構成されていること、
３）溝部は、間隔をおいて配置され、その相互間をカバーの回動領域とする少なくとも２つから構成され、該溝部の各溝壁には、回動領域からの、リブの抜け出しを防止するストッパーを設けること、さらに、
４）連係部が、弾性変形によって先端開放部を通して固定部位に着脱可能に嵌合するクリップであること、
が本発明の課題解決の具体的手段として好ましい。
【発明の効果】
【０００９】
本発明の揮散用容器によれば、揮散用容器を、周壁とこの周壁の下端に一体連結する底壁からなり、その内側に形成された区画凹所に揮発性の内容物を直接または中皿を介して間接的に収納するとともに、上部開放端を通して該内容物を揮散させる容器本体と、この容器本体を該上部開放端を残して抜け出し不能、かつ、回動可能に取り囲むカバーとを備えたもので構成し、容器本体の底壁の下面に、先端開放部を通して固定部位（換気機器の吹き出し口に設けられた棒状部材、板状部材等）に着脱可能に連係して該容器本体を該固定部位に保持する連係部を設け、カバーに、容器本体の周りに沿う該カバーの回動にてその突端面を前記固定部位に当接させて連係部の、該固定部位からの離脱を防止する係止部を設け、容器本体と前記カバーとの相互間に、該カバーの回動を阻止して係止部の、固定部位に対する当接姿勢を維持するロック機構を設けるようにしているため、揮散用容器に不用意な外力が作用したとしても容器本体の底壁の下面に設けた連係部が、固定部位から簡単に外れることがない。
【００１０】
また、上記の構成からなる本発明の揮散用容器によれば、係止部を、固定部位に当接可能な複数の突端面と、該突端面との当接によって該固定部位を引掛けて抱え込む爪部を有するものにて構成することにより、係止部は固定部位に確実に係止される。なお、固定部位が爪部を乗り越えるとき、該爪部によってクリック感を得ることが可能であり、このクリック感によって固定部位が突端面に当接したことが確認できる。
【００１１】
また、本発明による揮散用容器によれば、ロック機構を、容器本体およびカバーのいずれか一方に設けられた溝部と、該カバーおよび該容器本体のいずれかもう一方に設けられ、該溝部に凸部を乗り越えて抜け出し可能に嵌合するリブにて構成することで、カバーの、容器本体に対する締結とその解除が簡単に行える。また、リブが凸部を乗り越えて溝部に嵌合する際、あるいは該溝部を乗り越えて該溝部から抜け出す際にクリック感が得られる。
【００１２】
さらに、本発明による揮散用容器によれば、溝部は、間隔をカバーの回動領域とする少なくとも２つからなるもので構成し、該溝部の各溝壁に、該回動領域からの、該リブの抜け出しを防止するストッパーを設ける構成を採用したため、その領域内でカバーを回動させるだけでカバーの締結とその解除が確実に行える。とくに、連係部を、弾性変形により先端開放部を通して固定部位に着脱可能に嵌合するクリップとすることとしたため、容器本体に一体連結した単一部材で構成することができ、部品点数の削減、構造の簡素化が可能となる。
【図面の簡単な説明】
【００１３】
【図１】本発明に従う揮散用容器の実施の形態を分解状態で示した外観斜視図である。
【図２】(ａ)は、図１に示した揮散用容器の側面を断面で示した図であり、（ｂ）は図１に示した揮散用容器の底面を示した図である。
【図３】中皿を使用せずに直接、区画凹所に内容物を収納した揮散用容器の構成例をその断面について示した図である。
【図４】図２（ａ）のＡ─Ａ断面をその要部について示した図である。
【図５】本発明に従う揮散用容器について、複数の揮散開孔を有するカバーを適用した例を示した図である。
【図６】（ａ）〜（ｃ）は、本発明に従う揮散用容器に設けた係止部の一段目の突端面を固定部位に当接させて取り付ける場合の取り付け状態を示した図である。
【図７】本発明に従う揮散用容器に設けた係止部の二段目の突端面を固定部位に当接させて取り付けた状態を示した図である。
【図８】本発明に従う揮散用容器の他の例を示した図である。
【図９】（ａ）（ｂ）は、本発明に従う揮散容器の他の例を示した図であり、（ａ）はその側面を断面で示した図であり、（ｂ）は、その底面を示した図である。
【発明を実施するための形態】
【００１４】
以下、図面を用いて本発明をより具体的に説明する。
図１は、本発明に従う揮散用容器を分解状態で示した外観斜視図であり、図２（ａ）（ｂ）は、図１に示した揮散用容器の側面（断面表示）および底面を示した図である。
【００１５】
図における符号１は、合成樹脂にて構成される容器本体である。この容器本体１は、環状の周壁１ａと、この周壁１ａの下端に一体連結する底壁１ｂと、周壁１ａの上端外縁部に一体連結するフランジ１ｃから構成されており、その内側に形成された区画凹所Ｍに揮発性の内容物を収納するとともに、上部開放端１ｄを通して該内容物を揮散させることができるようになっている。ここで、揮発性の内容物としては、後述する密閉シール部材を剥がしても外側に漏れ出すことのない、例えばゼリー状のものが適用されるが、該密閉シール部材を剥がしても外側に漏れ出すことがなければどのような形態のものであってもかまわない。
【００１６】
上掲図１、図２に示した揮散用容器は、中皿ｎを介して内容物を間接的に区画凹所Ｍに収納するものを例として示してあるが、該中皿ｎを使用せずに図３に示す如く該区画凹所Ｍに直接内容物を収納するものでもよい。中皿ｎを使用した場合には、内容物の詰め替えを容易に行うことが可能であり、該中皿ｎの内容物はその開口部を通して揮散する。
【００１７】
また、２は、容器本体１の上部開放端１ｃを残して取り囲むカバー（合成樹脂にて構成される）である。このカバー２は、容器本体１の周りを取り囲む筒体（カバー本体）２ａと、この筒体２ａの下端に一体的につながり、容器本体１の底壁１ｂに当接して該容器本体１を受ける底壁２ｂと、この底壁２ｂに垂下姿勢で一体転結し、間隔Ｐを隔てて対向配置された一対の湾曲脚部２ｃから構成されている。
【００１８】
このカバー２の底壁２ｂには、湾曲脚部２ｃの内側において開放される貫通開口２ｂ１が形成されている。また、筒体２ａの上端内壁部には、容器本体１のフランジ１ｃに着脱自在にアンダーカット係合する環状の凸部２ａ１が形成されていて、容器本体１は、このカバー２に抜け出し不能、かつ、回動可能に保持される。一対の湾曲脚部２ｃによって形成される間隔Ｐは、固定部位が相通する箇所であって、そのサイズは、固定部位のサイズに応じて適宜変更される。
【００１９】
また、図における符号３は、容器本体１の底壁１ｂの下面中央部に設けられ、カバー２の湾曲脚部２ｃの内側に位置するクリップの如き連係部である。この連係部３は、それ自体の弾性変形により先端開放部（下端開放部）３ａを通して換気機器の吹き出し口のカバーを構成する棒状部材等の固定部位に着脱可能に連係して容器本体１を該固定部位に保持する機能を有している。
【００２０】
ここに、連係部３は、それ自体を弾性変形させて固定部位に着脱可能に嵌合できるものを例として示したが、ばねの如き弾性部材を利用したものであってもよく、この点については限定されない。
【００２１】
４は、カバー２の湾曲脚部２ｃの幅端部で、間隔Ｐに臨んでそれぞれ設けられた係止部である。この係止部４は、容器本体１の周りに沿うカバー２の回動にてその突端面４ａを固定部位（下部）に当接させて連係部３の、固定部位からの離脱を防止する機能を有している。
【００２２】
係止部４の突端面４ａは、固定部位のサイズ（径あるいは形状）の違いに対応して階段状に複数（一段目の突端面４ａ１、二段目の突端面４ａ２）設けることができ（図１参照）、その先端部には、突端面４ａが固定部位に当接したときに該固定部位を引掛けて抱え込むことが可能であり、かつ、該固定部位が乗り越える際にクリック感を付与することができる爪部４ｂが形成されている。
【００２３】
また、５は、容器本体１とカバー２との相互間に設けられ、該カバー２の回動を阻止して係止部４の、固定部位に対する当接姿勢を維持するためのロック機構である。
【００２４】
ロック機構５は、その平面（図２（ａ）Ａ─Ａ断面）を拡大して図４に示すように、カバー２の筒体２ａの内壁に間隔Ｌをあけて設けられた溝部５ａ、５ｂと、容器本体１の周壁１ａの外壁に設けられ、該溝部５ａ、５ｂに嵌合可能なリブ（縦リブ）５ｃから構成されている。ここに、間隔Ｌがカバー２の回動領域(移動領域)となる。
【００２５】
上記溝部５ａ、５ｂは、リブ５ｃが乗り越えることができる突出代を有する凸部（縦リブ等）と、乗り越え不能な突出代を有する凸部（縦リブ等）にて構成され、そのうちの乗り越え不能な凸部をリブ５ｃのストッパーＳとすることにより、リブ５ｃの回動領域Ｌからの抜け出しが防止され、カバー２はこの範囲内で回動することになる。また、カバー２の回動に際してリブ５ｃが乗り越えることができる凸部については、その突出代を適度な値に設定しておくことによりクリック感を与えることが可能であり、これにより、カバー２がロックされたか、あるいはカバー２のロックが解除されたかどうかが容易に判別できることになる。
【００２６】
上掲図１の実施の形態では、溝部５ａ、５ｂをカバー２側に設け、リブ５ｃを容器本体１側に設けた場合について示したが、該溝部５a、５ｂを容器本体１側に設け、リブ５ｃをカバー２側に設けてもよく、この点については適宜変更することができる。
【００２７】
また、６は、容器本体１の上部開放端１ｄ（中皿ｎを備えたものにあっては該中皿の開放端）に引き剥がし可能に貼着される密閉シール部材（合成樹脂等で構成されるシートあるいは板状のものでもよい）である。この密閉シール部材６は、バージン機能を有するものを適用することが可能であり、内容物の揮散を開始する使用開始時に摘み部６ａを摘まんで引き剥がされる。
【００２８】
容器本体１の上部開放端１ｄあるいは中皿ｎの開放端には、上記密閉シール部材６を直接貼着することができるが、内容物の揮散開口を複数有する、例えば、図５に示すような、複数の揮散開孔を有するカバー７を取り付けることも可能であり（取り付け方法はねじ止めでもよいし固着（接着、溶着等）構造でもよい）、この点は限定されない。
【００２９】
本発明に従う揮散用容器を、換気機器のカバー等を構成する固定部位８にセットするには、まず、図６（ａ）、(ｂ)に示すように、容器本体１に設けた連係部３を、先端開放部３ａを通して該固定部位８に連係させ、次いで図６（ｃ）に示すように、カバー２を容器本体１の周りに回動させてカバー２の湾曲脚部２ｃに設けた係止部４の突端面４ａをそれぞれ固定部位８の下部に当接させる。
【００３０】
係止部４の突端面４ａのうち一段目の突端面４ａ１がそれぞれ固定部位８の下部に当接すると、係止部４の先端に設けられた爪部４ｂがクリック感を伴って該固定部位８に引っ掛かり一段面の突端面４ａ１で固定部位８を抱え込むようになる。一段目の突端面４ａ１により固定部位８を抱え込んだかどうかは、固定部位８が爪部４ｂを乗り越えたときに得られるクリック感により容易に把握され、例えば、連係部３が固定部位８から引き抜かれるような外力が揮散用容器に作用したとしても、該係止部４がその外力を受ける結果、該揮散用容器が固定部位８から簡単に外れることがなくなる。
【００３１】
この例では、係止部４の突端面４ａを一段目の突端面４ａ１、二段目の突端面４ａ２にて構成した場合について示してあり、図６（ｃ）に示すような状態では、リブ５ｃが溝部５ａに未だ嵌合していない状態にあるが（二段目の突端面４ａ２に当接した時にリブ５ｃが溝部５ａに嵌合するため）、この位置でリブ５ｃが嵌合するような溝部を形成しておくことも可能であり、この場合、カバー２はロック状態に保持されることになる。
【００３２】
揮散用容器を固定部位８から取り外すには、カバー２を逆向きに回動させてロック状態を解除したのち係止部３が該固定部位８から離脱するように揮散用容器を引き抜けばよく、本発明の揮散用容器は、取り付け操作が簡単だけでなく、揮散用容器の取り外しも極めて簡単に行い得る。
【００３３】
図７は、図６（ａ）〜（ｃ）に示したものと比較して径が小さい固定部位８に本発明に従う揮散用容器を取り付けるべく、二段目の突端面４ａ２を固定部位８に当接させた状態を示した図である。この取り付け状態では、二段目の突端面４ａ２が固定部位８に当接すると同時にクリック感を伴ってリブ５ｃが溝部５ａに嵌合し、カバー２がロック状態に保持される。係止部４に複数の突端面４ａを階段状に設けておくことで、固定部位８のサイズや形状が異なる場合であっても、係止部４の突端面４ａを固定部位８に確実に当接させることができる。
【００３４】
固定部位８の設置間隔が広い場合には、図８に示すようにカバー２の筒体２ａの下端外縁部に、隣接する固定部位８に到達可能な鍔部２ｄを設けておくことができ、この鍔部２ｄによって揮散用容器の固定姿勢の安定化を図ることができる。鍔部２ｄの形状は円形や矩形状のものなど任意に変更し得る。
【００３５】
図９（ａ）、（ｂ）は、本発明に従う揮散用容器の他の例を示した図である。図における符号９は、容器本体１の底壁１ｂの下面に設けられ、カバー２の内壁に向けて開放する開放部を有するコの字形状をなす垂下壁である。
【００３６】
この垂下壁９は、カバー２の湾曲脚部２ｃとほぼ平行な湾曲形状を有する壁部本体９ａと、この壁部本体９ａの両側でそれぞれ該湾曲脚部２ｃに向けて突出するリブ９ｂ、９ｃとから構成されており、壁部本体９ａには、リブ９ｂ、９ｃに隣接して凸部９ｄ、９ｅが形成されている。
【００３７】
また、図における符号１０は、カバー２の湾曲脚部２ｃの内壁に設けられ、カバー２の回動に合わせてリブ９ｂ、９ｃの相互間で移動可能なリブである。
【００３８】
上記凸部９ｄ、９ｅは、リブ１０の乗り越えを可能とする突出代を有するもの（クリック感を与える）であり、リブ９ｂ、９ｃは該リブ１０の乗り越えを不能とする突出代を有するものである。この凸部９ｄ、９ｅと、リブ９ｂ、９ｃによって、リブ１０が嵌合する溝部１１、１２が形成され、これにより、ロック機構１３が構成される。
【００３９】
リブ９ｂ、９ｃは、リブ１０の動きを規制するストッパーとして機能し、その相互間を回動領域としてカバー２に設けたリブ１０が移動することとなる。
【００４０】
上記の構成からなる揮散用容器においても、上掲図６に示したところの手順と同様の手順で該揮散用容器を換気機器のカバー等にクリック感を伴って取り付け、取り外しすることができる。そして、係止部４の突端面４ａが固定部位８に当接して連係部３との相互間で固定部位８を挟持している限り、揮散用容器に所期しない外力が作用しても該揮散用容器が固定部位８から簡単に脱落することはない。
【００４１】
上掲図９に示したロック機構１３は、垂下壁９を容器本体１に設け、リブ１０を湾曲脚部２ｃに設けたものを例として示したが、垂下壁９を湾曲脚部２ｃに設け、リブ１０を容器本体１に設けることもできる。
【００４２】
本発明の実施の形態では、湾曲脚部２ｃを２つ設け、各湾曲脚部２ｃに係止部４を設けた場合について説明したが、湾曲脚部２ｃ、係止部４の個数は、２つ設ける場合に限られることはなく、適宜変更が可能である。
【００４３】
また、固定部位８については、円形断面を有するものを例として示したが、板状のもの、あるいは矩形断面を有するものへの取り付け可能であり、この場合には、突端面４ａの形状はその形状に適合するように変更される。
【００４４】
本発明に従う揮散用容器は、部品点数が少なくてすみ、構造を簡素化できる利点がある。
【産業上の利用可能性】
【００４５】
簡易な動作のもとで換気機器のカバー等に確実に固定することが可能で、かつ、構造の簡素化された揮散用容器が提供できる。
【符号の説明】
【００４６】
１      容器本体
１ａ    周壁
１ｂ    底壁
１ｃ    フランジ
１ｄ    上部開放端
２      カバー
２ａ    筒体
２ｂ    底壁
２ｃ    湾曲脚部
２ｄ    鍔部
３      連係部
３ａ    先端開放部
４      係止部
４ａ    突端面
４ａ１    一段目の突端面
４ａ２    二段目の突端面
４ｂ    爪部
５      ロック機構
５ａ    溝部
５ｂ    溝部
５ｃ    リブ
６      密閉シール部材
６ａ    摘み部
７      カバー
８      固定部位
９      垂下壁
９ａ    壁部本体
９ｂ    リブ
９ｃ    リブ
９ｄ    凸部
９ｅ    凸部
１０    リブ
Ｍ      区画凹所
Ｌ      間隔
Ｓ      ストッパー
Ｐ      間隔
【図１】
2014009001.tif 000003
【図２】
2014009001.tif 000004
【図３】
2014009001.tif 000005
【図４】
2014009001.tif 000006
【図５】
2014009001.tif 000007
【図６】
2014009001.tif 000008
【図７】
2014009001.tif 000009
【図８】
2014009001.tif 000010
【図９】
2014009001.tif 000011